(57)【特許請求の範囲】
【請求項１】
筒状をしてその内部空間に管が挿通されるスパウトの補強構造であって、前記内部空間の内面に少なくとも二箇所以上が圧接し、前記スパウトを突っ張る状態で内側から外側に向けて力をかけて補強する、前記スパウトよりも剛性および強度が高い材料で形成される補強部材が設けられ、前記補強部材の前記管に臨む面が非金属により形成されることを特徴とするスパウトの補強構造。
【請求項２】
前記補強部材は、合成樹脂により形成されウェブとフランジとからなるＨ型をした保持部と、金属で形成され前記フランジの外面に設けられる補強部と、で構成されることを特徴とする請求項１記載のスパウトの補強構造。
【発明の詳細な説明】
【技術分野】
【０００１】
本発明は、内部空間に管が挿通されるスパウトの補強構造に関するものである。
【背景技術】
【０００２】
従来から、キッチンカウンターや洗面化粧台に設けられるスパウトが知られている（例えば特許文献１参照）。スパウトは、筒状をして通常金属で形成され、カランの外殻をなすカバーとなるもので、その内部空間に湯や水が流れる管が挿通されるものである。
【先行技術文献】
【特許文献】
【０００３】
【特許文献１】特開平１１−５０４５号公報
【発明の概要】
【発明が解決しようとする課題】
【０００４】
ところで、スパウトの製造コストの低減のため、スパウトが合成樹脂等の金属よりも安価な材料で形成される場合、剛性および強度の低下が問題となる。そこで、補強のため金属で形成される補強部材が内部空間に設けられると、内部空間に挿通される管と接触することがあるが、この管は通常は金属で形成されており、金属同士の接触による錆（いわゆるもらい錆）が発生してしまう惧れがあった。
【０００５】
本発明は上記従来の問題点に鑑みて発明したものであって、その目的とするところは、内部空間に金属製の管が挿通される場合でも、錆が発生しないスパウトの補強構造を提供することを課題とするものである。
【課題を解決するための手段】
【０００６】
上記課題を解決するために、本発明は、以下のような構成とする。
【０００７】
筒状をしてその内部空間に管が挿通されるスパウトの補強構造であって、前記内部空間の内面に少なくとも二箇所以上が圧接し、前記スパウトを突っ張る状態で内側から外側に向けて力をかけて補強する、前記スパウトよりも剛性および強度が高い材料で形成される補強部材が設けられ、前記補強部材の前記管に臨む面が非金属により形成されることを特徴とする。
【０００８】
また、前記補強部材は、合成樹脂により形成されウェブとフランジとからなるＨ型をした保持部と、金属で形成され前記フランジの外面に設けられる補強部と、で構成されることが好ましい。
【発明の効果】
【０００９】
本発明にあっては、内部空間に金属製の管が挿通される場合でも、錆が発生しないものである。
【図面の簡単な説明】
【００１０】
【図１】本発明の一実施形態の断面図である。
【図２】同上の補強部材の分解斜視図である。
【図３】カランの全体斜視図である。
【発明を実施するための形態】
【００１１】
以下、本発明を添付図面に示す実施形態に基いて説明する。
【００１２】
スパウト１は、図３に示すように、キッチンカウンターのシンクの周辺部や、洗面化粧台のボウルの周辺部等に設けられる、筒状をしてカランの外殻をなすカバーとなるもので、シンクやボウル等の周辺部の上面が、スパウト１が突設される被取付面となる。スパウト１は、この被取付面から上方または斜め上方に向けて突出され、途中で曲げられて、下流端の開口１０は下方または斜め下方を向くように設置される。本実施形態では、側面視略逆Ｊ字状をしたもので、その頂部に吐水の開始／停止を切り替えるセンサー８が設けられている。なお、スパウト１の側面視形状は前記逆Ｊ字状に限定されず、逆Ｌ字状等であってもよい。また、センサー８としては、赤外線により手等の物体を検知するものをはじめ様々なものが用いられ、特に限定されない。
【００１３】
スパウト１は、図１に示すように、その内部空間２に湯や水が流れる管３が挿通される。管３としては、鋼管等の金属管や、金属からなり可撓性を有するように形成されるフレキ管等が挙げられるが、金属で形成されていなくてもよい。本実施形態では管３として、金属製のフレキ管からなるシャワーホース３１が用いられる。
【００１４】
スパウト１は、非金属材料からなるため、金属で形成された同様のものと比較して剛性および強度が低いものである。そこで、スパウト１の剛性および強度の向上のため、補強部材４が設けられる。
【００１５】
補強部材４は、スパウト１よりも剛性および強度が高い材料で形成されるもので、本実施形態では金属により形成されるが、金属に限定されないものである。
【００１６】
この補強部材４は、スパウト１の内部空間２内において、少なくとも二箇所以上がスパウト１の内面に圧接し、スパウト１を突っ張る状態で内側から外側に向けて力をかけて補強するものである。
【００１７】
本実施形態の補強部材４は、図２に示すように、スパウト１よりも剛性および強度が高い複数（本実施形態では二つ）の補強部６と、これら複数の補強部６の位置関係を保持するための保持部５とで構成される。保持部５は、合成樹脂により形成される、ウェブ５２とフランジ５３とからなるＨ型材５１で構成され、スパウト１の内部空間２の形状に沿うように曲げられている。
【００１８】
補強部６は、両方のフランジ５３の外面に設けられる板状をしたもので、金属で形成される。補強部６は、フランジ５３の外面と同様の形状をしており、フランジ５３の外面に沿うように接着剤により貼着されて固定されているが、他の方法により固定されていてもよい。
【００１９】
補強部６が固定されたフランジ５３は、両端部がスパウト１の内面に圧接する。また、両方のフランジ５３に固定された補強部６は、図１に示すようにウェブ５２によりその位置関係が保持され、両方の補強部６がスパウト１に圧接された状態が保持される。
【００２０】
本実施形態では、ウェブ５２は、フランジ５３の中央よりも一方の端部に片寄った位置に形成され、スパウト１とフランジ５３とで囲まれる空間を大きい方の一方の空間２１と小さい方の他方の空間２２とに仕切る仕切りとなっている。そして、一方の空間２１に管３（シャワーホース３１）が収容され、他方の空間２２にセンサー８および該センサー８に接続されるセンサーハーネス７が収容される。管３とセンサーハーネス７はウェブ５２からなる仕切りにより仕切られ、干渉が防止される。
【００２１】
そして、補強部材４の管３に臨む面４１が非金属により形成されるもので、本実施形態では、図１に示すように、補強部材４の管３に臨む面４１は保持部５の面であって、合成樹脂で形成されている。
【００２２】
上記構成によれば、スパウト１が合成樹脂で形成されていて剛性および強度が低くても、スパウト１よりも剛性および強度が高い補強部材４がスパウト１を突っ張る状態で内側から外側に向けて力をかけて補強するため、スパウト１に外側から縮める方向に力がかかっても補強部材４が力を受けて、スパウト１が破壊されずにすむ。また、管３を流れる湯や水の運動量変化に起因して、スパウト１に揺れ（主に上下の揺れ）が発生するのを、剛性が高い補強部材４により抑制される。
【００２３】
そして、補強部材４の管３に臨む面４１が非金属により形成されるため、管３が金属で形成される場合、補強部材４が管３と接触しても、金属同士の接触による錆（いわゆるもらい錆）が発生してしまうことがない。
【符号の説明】
【００２４】
１    スパウト
１０  下流端の開口
２    内部空間
２１  一方の空間
２２  他方の空間
３    管
３１  シャワーホース
４    補強部材
４１  臨む面
５    保持部
５１  Ｈ型材
５２  ウェブ
５３  フランジ
６    補強部
７    センサーハーネス
８    センサー
【図１】
0005857266.tif 000002
【図２】
0005857266.tif 000003
【図３】
0005857266.tif 000004